【手続補正書】
【提出日】平成17年12月19日(2005.12.19)
【手続補正１】
【補正対象書類名】明細書
【補正対象項目名】特許請求の範囲
【補正方法】変更
【補正の内容】
【特許請求の範囲】
【請求項１】
見当マークがプレプリントされたウエブに画像を印刷する画像付与装置と前記ウエブを巻付けて拘束する支持胴とを有する印刷装置と、前記見当マークを検出する見当マーク検出手段と、を備えた印刷機において、
前記見当マーク検出手段は前記ウエブの流れ方向に対し前記画像付与装置の手前に設けられ、前記見当マーク検出手段で検出した位置に合わせて前記画像付与装置で印刷することを特徴とする印刷機。
【請求項２】
前記見当マーク検出手段は、前記支持胴の周辺に設けられていることを特徴とする請求項１に記載の印刷機。
【請求項３】
前記見当マーク検出手段は、前記支持胴の周辺に設けられ、該支持胴と前記ウエブが接触する位置より手前であって前記支持胴の直径長さの範囲内で前記見当マークを検出することを特徴とする請求項１又は２に記載の印刷機。
【請求項４】
前記見当マーク検出手段は、前記支持胴に設けられ、該支持胴と前記ウエブが接触する位置で前記見当マークを検出することを特徴とする請求項１又は２に記載の印刷機。
【請求項５】
前記支持胴の回転位置を検出する回転位置検出手段と、前記回転位置検出手段が出力する回転位置信号と前記見当マーク検出手段が出力する見当マーク信号とに基づいて前記画像付与装置の印刷位置を制御する印刷位置制御装置を設けていることを特徴とする請求項１乃至４のいずれか１項に記載の印刷機。
【請求項６】
前記支持胴の少なくとも一の回転位置における回転方向又は左右方向の少なくとも一方の計算上の位置と実際の位置との補正値を入力する補正値入力装置と、
前記補正値入力装置により入力された前記補正値を記憶する補正値記憶手段と、
前記回転位置検出手段により出力された前記回転位置信号に応じ補正値信号を出力する補正値付与装置と、
前記回転位置信号と前記補正値信号とに基づき前記ウェブに画像が転写される前に前記画像付与装置の印刷位置を制御する印刷位置制御装置と、を備えたことを特徴とする請求項１乃至５のいずれか１項に記載の印刷機。
【請求項７】
前記支持胴で前記ウエブに付与された画像の付与画像位置を検出する付与画像位置検出手段と、
前記付与画像位置検出手段により検出された画像位置検出データを記憶する画像位置検出データ記憶手段と、
前記画像位置検出データにより前記付与画像位置のずれ量又は変動周期の少なくとも一方を演算する演算手段と、
前記演算手段が演算した演算結果により補正値付与装置が記憶している前記補正値を修正する補正制御装置と、を備えたことを特徴とする請求項１乃至５のいずれか１項に記載の印刷機。
【請求項８】
見当マークがプレプリントされたウエブを支持胴に巻き付け搬送し、画像付与装置にて該ウエブに画像を印刷する印刷方法において、
前記見当マークを見当マーク検出手段で検出して見当マーク信号を出力し、
前記支持胴の回転位置を回転位置検出手段で検出して回転位置信号を出力し、
前記回転位置検出手段が出力した前記回転位置信号と前記見当マーク検出手段が出力した前記見当マーク信号とに基づいて前記画像付与装置で印刷される前に前記画像の印刷位置が合うように制御し、
前記画像付与装置にて画像を印刷することを特徴とする印刷方法。
【請求項９】
請求項１乃至７の印刷機で製造されたことを特徴とする精密画像印刷物。
【手続補正２】
【補正対象書類名】明細書
【補正対象項目名】００１２
【補正方法】変更
【補正の内容】
【００１２】
【課題を解決するための手段】上記課題を解決するために、請求項１に記載の本発明は、見当マークがプレプリントされたウエブに画像を印刷する画像付与装置と前記ウエブを巻付けて拘束する支持胴とを有する印刷装置と、前記見当マークを検出する見当マーク検出手段と、を備えた印刷機において、前記見当マーク検出手段は前記ウエブの流れ方向に対し前記画像付与装置の手前に設けられ、前記見当マーク検出手段で検出した位置に合わせて前記画像付与装置で印刷することを特徴とする。また、請求項２に記載の本発明は、請求項１記載の本発明において、前記見当マーク検出手段は、前記支持胴の周辺に設けられていることを特徴とする。
【手続補正３】
【補正対象書類名】明細書
【補正対象項目名】００１４
【補正方法】変更
【補正の内容】
【００１４】
上記課題を解決するために、請求項３に記載の本発明は、請求項１又は２に記載の本発明において、前記見当マーク検出手段は、前記支持胴の周辺に設けられ、該支持胴と前記ウエブが接触する位置より手前であって前記支持胴の直径長さの範囲内で前記見当マークを検出することを特徴とする。
【手続補正４】
【補正対象書類名】明細書
【補正対象項目名】００１６
【補正方法】変更
【補正の内容】
【００１６】
上記課題を解決するために、請求項４に記載の本発明は、請求項１又は２に記載の本発明において、前記見当マーク検出手段は、前記支持胴に設けられ、該支持胴と前記ウエブが接触する位置で前記見当マークを検出することを特徴とする。
【手続補正５】
【補正対象書類名】明細書
【補正対象項目名】００１８
【補正方法】変更
【補正の内容】
【００１８】
上記課題を解決するために、請求項５に記載の本発明は、請求項１乃至４のいずれか１項に記載の本発明において、前記支持胴の回転位置を検出する回転位置検出手段と、前記回転位置検出手段が出力する回転位置信号と前記見当マーク検出手段が出力する見当マーク信号とに基づいて前記画像付与装置の印刷位置を制御する印刷位置制御装置を設けていることを特徴とする。
【手続補正６】
【補正対象書類名】明細書
【補正対象項目名】００２０
【補正方法】変更
【補正の内容】
【００２０】
上記課題を解決するために、請求項６に記載の本発明は、請求項１乃至５のいずれか１項に記載の本発明において、前記支持胴の少なくとも一の回転位置における回転方向又は左右方向の少なくとも一方の計算上の位置と実際の位置との補正値を入力する補正値入力装置と、前記補正値入力装置により入力された前記補正値を記憶する補正値記憶手段と、前記回転位置検出手段により出力された前記回転位置信号に応じ補正値信号を出力する補正値付与装置と、前記回転位置信号と前記補正値信号とに基づき前記ウェブに画像が転写される前に前記画像付与装置の印刷位置を制御する印刷位置制御装置と、を備えたことを特徴とする。
【手続補正７】
【補正対象書類名】明細書
【補正対象項目名】００２２
【補正方法】変更
【補正の内容】
【００２２】
上記課題を解決するために、請求項７に記載の本発明は、請求項１乃至５のいずれか１項に記載の本発明において、前記支持胴で前記ウエブに付与された画像の付与画像位置を検出する付与画像位置検出手段と、前記付与画像位置検出手段により検出された画像位置検出データを記憶する画像位置検出データ記憶手段と、前記画像位置検出データにより前記付与画像位置のずれ量又は変動周期の少なくとも一方を演算する演算手段と、前記演算手段が演算した演算結果により補正値付与装置が記憶している前記補正値を修正する補正制御装置と、を備えたことを特徴とする。
【手続補正８】
【補正対象書類名】明細書
【補正対象項目名】００２４
【補正方法】変更
【補正の内容】
【００２４】
また、請求項８に記載の本発明の印刷方法は、見当マークがプレプリントされたウエブを支持胴に巻き付け搬送し、画像付与装置にて該ウエブに画像を印刷する印刷方法において、前記見当マークを見当マーク検出手段で検出して見当マーク信号を出力し、前記支持胴の回転位置を回転位置検出手段で検出して回転位置信号を出力し、前記回転位置検出手段が出力した前記回転位置信号と前記見当マーク検出手段が出力した前記見当マーク信号とに基づいて前記画像付与装置で印刷される前に前記画像の印刷位置が合うように制御し、前記画像付与装置にて画像を印刷することを特徴とする。
【手続補正９】
【補正対象書類名】明細書
【補正対象項目名】００２５
【補正方法】変更
【補正の内容】
【００２５】
また、請求項９に記載の本発明の精密画像印刷物は、請求項１乃至７の印刷機で製造されたことを特徴とする。